(57)【特許請求の範囲】
【請求項１】
車両と通信を行う無線通信回路を有する本体部と、
前記本体部に設けられた少なくとも１つの開口と、
前記開口内に突出して設けられる抜止部と、
前記本体部に設けられた少なくとも１つのロック開口と、
前記ロック開口内に突出して設けられたロック板と、
突起部を有する爪部と前記ロック開口に基づく突出部とを有し、前記抜止部と前記開口とによって形成された第１のガイド部に前記爪部を挿入したとき、前記爪部の挿入に基づいて前記ロック板を前記突出部によって挿入方向に弾性変形させ、さらに前記抜止部と前記開口とによって取付方向に形成された第２のガイド部に沿って前記爪部を変位させたとき、前記突出部が弾性変形から復帰した前記ロック板と前記ロック開口との間に変位することで前記取付方向とは反対方向の変位を規制され、前記本体部に固定される加飾部と、
を備えたことを特徴とする携帯機。
【請求項２】
前記ロック板は、矩形状を有し、その一端が前記ロック開口に設けられることを特徴とする請求項１に記載の携帯機。
【請求項３】
前記爪部は、Ｌ字の水平部分を前記突起部とした略Ｌ字形状を有し、
前記突起部は、前記第２のガイド部に沿って変位することによって前記加飾板と前記突起部の間に前記抜止部が挿入されることを特徴とする請求項２に記載の携帯機。
【請求項４】
前記加飾部は、金属によって形成されることを特徴とする請求項３に記載の携帯機。
【請求項５】
車両と通信を行う無線通信回路を有する本体部と、
前記本体部に設けられた少なくとも１つの開口と、
前記開口内に突出して設けられる抜止部と、
前記本体部に設けられた少なくとも１つのロック開口と、
矩形状を有し、その一端が前記ロック開口に設けられるロック板と、
突起部を有する爪部と前記ロック開口に基づく突出部とを有し、前記抜止部と前記開口とによって形成された第１のガイド部に前記爪部を挿入したとき、前記爪部の挿入に基づいて前記ロック板を前記突出部によって挿入方向に弾性変形させ、さらに前記抜止部と前記開口とによって取付方向に形成された第２のガイド部に沿って前記爪部を変位させたとき、前記突出部が弾性変形から復帰した前記ロック板と前記ロック開口との間に変位することで前記取付方向とは反対方向の変位を規制され、前記本体部に固定される加飾部と、
を備え、
前記爪部は、Ｌ字の水平部分を前記突起部とした略Ｌ字形状を有し、
前記突起部は、前記第２のガイド部に沿って変位することによって前記加飾板と前記突起部の間に前記抜止部が挿入されることを特徴とする携帯機。
【発明の詳細な説明】
【技術分野】
【０００１】
本発明は、携帯機に関する。
【背景技術】
【０００２】
従来の技術として、金属調の加飾層を有する加飾フィルムを取り付けた携帯機が知られている（例えば、特許文献１参照）。
【０００３】
この携帯機によると、加飾フィルムによって外装が保護され、また、加飾フィルムが有する高輝度の金属光沢によって高級感を表現することができる。
【特許文献１】特開２００７−２８５０９３号公報
【発明の開示】
【発明が解決しようとする課題】
【０００４】
しかし、従来の携帯機は、本物の金属によって加飾するわけではないので、高級感の表現に限界があった。
【０００５】
従って本発明の目的は、高級感があり、加飾された部品の取替えが容易な携帯機を提供することにある。
【課題を解決するための手段】
【０００６】
（１）本発明は上記目的を達成するため、車両と通信を行う無線通信回路を有する本体部と、前記本体部に設けられた少なくとも１つの開口と、前記開口内に突出して設けられる抜止部と、前記本体部に設けられた少なくとも１つのロック開口と、前記ロック開口内に突出して設けられたロック板と、突起部を有する爪部と前記ロック開口に基づく突出部とを有し、前記抜止部と前記開口とによって形成された第１のガイド部に前記爪部を挿入したとき、前記爪部の挿入に基づいて前記ロック板を前記突出部によって挿入方向に弾性変形させ、さらに前記抜止部と前記開口とによって取付方向に形成された第２のガイド部に沿って前記爪部を変位させたとき、前記突出部が弾性変形から復帰した前記ロック板と前記ロック開口との間に変位することで前記取付方向とは反対方向の変位を規制され、前記本体部に固定される加飾部と、を備えたことを特徴とする携帯機を提供する。
【０００７】
（２）本発明は上記目的を達成するため、前記ロック板は、矩形状を有し、その一端が前記ロック開口に設けられることを特徴とする前記（１）に記載の携帯機を提供する。
【０００８】
（３）本発明は上記目的を達成するため、前記爪部は、Ｌ字の水平部分を前記突起部とした略Ｌ字形状を有し、前記突起部は、前記第２のガイド部に沿って変位することによって前記加飾板と前記突起部の間に前記抜止部が挿入されることを特徴とする前記（２）に記載の携帯機を提供する。
【０００９】
（４）本発明は上記目的を達成するため、前記加飾部は、金属によって形成されることを特徴とする前記（３）に記載の携帯機を提供する。
【００１０】
（５）本発明は上記目的を達成するため、車両と通信を行う無線通信回路を有する本体部と、前記本体部に設けられた少なくとも１つの開口と、前記開口内に突出して設けられる抜止部と、前記本体部に設けられた少なくとも１つのロック開口と、矩形状を有し、その一端が前記ロック開口に設けられるロック板と、突起部を有する爪部と前記ロック開口に基づく突出部とを有し、前記抜止部と前記開口とによって形成された第１のガイド部に前記爪部を挿入したとき、前記爪部の挿入に基づいて前記ロック板を前記突出部によって挿入方向に弾性変形させ、さらに前記抜止部と前記開口とによって取付方向に形成された第２のガイド部に沿って前記爪部を変位させたとき、前記突出部が弾性変形から復帰した前記ロック板と前記ロック開口との間に変位することで前記取付方向とは反対方向の変位を規制され、前記本体部に固定される加飾部と、を備え、前記爪部は、Ｌ字の水平部分を前記突起部とした略Ｌ字形状を有し、前記突起部は、前記第２のガイド部に沿って変位することによって前記加飾板と前記突起部の間に前記抜止部が挿入されることを特徴とする携帯機を提供する。
【発明の効果】
【００１１】
このような構成によれば、高級感があり、加飾された部品の取替えを容易に行うことができる。
【発明を実施するための最良の形態】
【００１２】
以下に、本発明の携帯機の実施の形態を図面を参考にして詳細に説明する。
【００１３】
[実施の形態]
（携帯機１の構成）
図１は、本発明の実施の形態に係る携帯機の分解斜視図である。本実施の形態における携帯機１は、図示しない車両と無線通信を行って、車両に対する所定の操作を可能にするものである。
【００１４】
携帯機１は、図１に示すように、本体（本体部）２と、第１及び第２の加飾板（加飾部）４、５と、を備えて概略構成されている。
【００１５】
（本体２の構成）
本体２は、一例として、樹脂によって形成され、図１に示すように、上及び下カバー２０、２１によって構成されている。なお、本実施の形態における本体２は、上下に２分割されているが、これに限定されず、さらに分割されたもの、又は一体であるものであっても良い。
【００１６】
（上カバー２０の構成）
図２（ａ）は、本発明の実施の形態に係る上カバーの平面図であり、図２（ｂ）は、図２（ａ）におけるＡ−Ａ線断面図である。
【００１７】
上カバー２０は、第１及び第２の加飾板４、５が取り付けられる取付面を有し、図１及び図２（ａ）に示すように、中央部付近に形成された凸部２００と、第１及び第２の加飾板４、５の両端部の厚みに基づいて形成された凹部２０１、２０２と、第１及び第２の加飾板４、５の中央部の厚みに基づいて凸部２００よりも凸が小さく形成された凸部２０３と、凹部２０１に形成された開口２０４と、凹部２０２に形成された開口２０５と、を備えて概略構成されている。
【００１８】
凹部２０１に形成される開口２０４は、矩形状を有し、さらに、凹部２０１と凸部２０３とに渡って形成されており、携帯機１の中心点（図示せず）に対して点対称の位置の凹部２０１（凸部２００を挟んで点対称の位置にある凹部２０１と凸部２０３）にも形成されている。
【００１９】
また、凹部２０２に形成される開口２０５は、矩形状を有し、さらに、携帯機１の中心点に対して点対称の位置の凹部２０２（凸部２００を挟んで点対称の位置にある凹部２０２）にも形成されている。
【００２０】
（ロック開口２２０、２２２の構成）
凸部２０３に形成されるロック開口２２０は、矩形状を有し、さらに、凸部２００を介して向かいの位置にある凸部２０３上にも形成されている。
【００２１】
また、凸部２０３に形成されるロック開口２２２は、矩形状を有し、さらに、凸部２００を介して向かいの位置にある凸部２０３上にも形成されている。
【００２２】
また、ロック開口２２０は、矩形状を有し、一端がロック開口２２０と繋がるロック板２２１を有し、ロック開口２２２は、矩形状を有し、一端がロック開口２２２と繋がるロック板２２３を有している。
【００２３】
ロック板２２１、２２３は、一端がロック開口２２０、２２２と繋がっているため、上からの力に対して下方（挿入方向）に弾性変形するように構成されている。また、ロック板２２１、２２３は、付加された力が取り除かれたとき、弾性変形に基づいて元の位置に復帰するものとする。
【００２４】
（開口２０４の構成）
開口２０４は、図２（ａ）及び（ｂ）に示すように、上カバー２０を貫通する開口であって、その開口の形状は略Ｌ字形状を有し、携帯機１の長手方向の開口部分である第１のガイド部２０６と、携帯機１の短手方向の開口部分である第２のガイド部２０７と、を備えている。
【００２５】
また、開口２０４には、矩形状を有して開口内に突出する抜止部２０４ａが形成されている。抜止部２０４ａの開口内における厚みは、後述する第１の爪部４２に基づいて設定される。
【００２６】
（開口２０５の構成）
開口２０５は、図２（ａ）及び（ｂ）に示すように、上カバー２０を貫通する開口であって、その開口の形状は略Ｌ字形状を有し、携帯機１の長手方向の開口部分である第１のガイド部２０８と、携帯機１の短手方向の開口部分である第２のガイド部２０９と、を備えている。
【００２７】
また、開口２０５には、矩形状を有して開口内に突出する抜止部２０５ａが形成されている。抜止部２０４ａの開口内における厚みは、後述する第２の爪部４４に基づいて設定される。
【００２８】
（下カバー２１の構成）
図３（ａ）は、本発明の実施の形態に係る下カバーの平面図であり、図３（ｂ）は、下カバーの図３（ａ）におけるＢ−Ｂ線断面図である。
【００２９】
下カバー２１は、図１及び図３（ａ）に示すように、上カバー２０に接する面上に、車両と通信を行う無線通信回路（図示せず）を有するプリント配線基板３を備えている。
【００３０】
また下カバー２１は、図１及び図３（ｂ）に示すように、上カバー２０の開口２０４、２０５に対応する位置に開口２１０、２１１を備えている。
【００３１】
（第１の加飾板４の構成）
図４（ａ）は、本発明の実施の形態に係る第１の加飾板の側面図であり、図４（ｂ）は、第１の加飾板の裏面図である。以下では、第１の加飾板４について説明するが、第２の加飾板５も同じ構成及び機能を有するものとする。
【００３２】
第１の加飾板４は、一例として金属によって形成され、図４（ａ）及び（ｂ）に示すように、略矩形状を有する本体４０と、上カバー２０の凸部２０３に基づいて本体４０の下部中央に形成された凹部４１と、上カバー２０の開口２０４に基づいて本体４０の図４（ａ）の左下側に形成された第１の爪部４２と、上カバー２０の開口２０５に基づいて本体４０の図４（ａ）の右下側に形成された第２の爪部４４と、凹部４１に設けられた突出部４６、４７と、を備えて概略構成されている。
【００３３】
第１の爪部４２は、略Ｌ字形状を有し、図４（ａ）に示す水平方向に伸びる先端部（突起部）４３を備えている。
【００３４】
また第２の爪部４４は、略Ｌ字形状を有し、図４（ａ）に示す水平方向に伸びる先端部（突起部）４５を備えている。
【００３５】
（動作）
以下に、本実施の形態における携帯機に関する動作を各図を参照して詳細に説明する。ユーザが、携帯機１に第１の加飾板４を取り付ける場合について説明する。なお、第２の加飾板５を取り付ける場合も以下と同様である。
【００３６】
図５は、本発明の実施の形態に係る第１の加飾板の取り付けに関する概略図であり、図６は、本発明の実施の形態に係る第１の加飾板の取り付け後の携帯機の概略図であり、図７は、本発明の実施の形態に係る携帯機の図６におけるＤ−Ｄ線断面図である。
【００３７】
ユーザは、第１の加飾板４の第１及び第２の爪部４２、４４を本体２の開口２０４、２０５の第１のガイド部２０６、２０８に挿入する。
【００３８】
ユーザは、第１及び第２の爪部４２、４４を第１のガイド部２０６、２０８のさらに奥まで挿入し、図５に示す矢印Ｃ方向に第１の加飾板４を変位させる。
【００３９】
このとき、第１及び第２の爪部４２、４４は、第２のガイド部２０７、２０９に沿って矢印Ｃ方向に変位する。
【００４０】
また、第１及び第２の爪部４２、４４の先端部４３、４５は、上カバー２０の抜止部２０４ａ、２０５ａの下部を矢印Ｃ方向に変位する。
【００４１】
一方、ユーザが、第１の加飾板４の第１及び第２の爪部４２、４４を本体２の開口２０４、２０５の第１のガイド部２０６、２０８に挿入したとき、突出部４６、４７が、図７に示すように、ロック板２２１、２２３を下方に弾性変形させる。
【００４２】
ユーザが、第１の加飾板４を図５の矢印Ｃ方向に変位させたとき、突出部４６、４７もまた矢印Ｃ方向に変位する。
【００４３】
このとき突出部４６は、ロック開口２２０とロック板２２１との間のロック位置２２４に変位し、ロック板２２１が弾性変形から復帰して元の位置に戻るので、突出部４６の矢印Ｃの前後方向の変位が規制される。
【００４４】
また突出部４７もまた同様にロック位置２２５に変位し、ロック板２２３が弾性変形から復帰して元の位置に戻るので、突出部４７の矢印Ｃの前後方向の変位もまた規制される。
【００４５】
よって第１及び第２の爪部４２、４４の先端部４３、４５は、図７に示すように、上カバー２０の抜止部２０４ａ、２０５ａの下部に変位しているため、第１の加飾板４は、本体２に対して、図７の上部方向に抜けなくなっている。
【００４６】
さらに突出部４６、４７は、ロック位置２２４、２２５に変位しているので、図５の矢印Ｃ方向の前後の変位が規制されるので、第１の加飾部４は、本体２に固定される。
【００４７】
続いてユーザは、第１の加飾板４と同様に第２の加飾板５を携帯機１に取り付け、第１及び第２の加飾板４、５の取り付けを完了する。
【００４８】
（効果）
（１）上記した実施の形態における携帯機１によれば、第１及び第２の加飾板４、５を本体２に取り付けることができる。
【００４９】
（２）上記した実施の形態における携帯機１によれば、第１及び第２の爪部４２、４４が、略Ｌ字形状を有しているので、さらに第１及び第２の加飾板４、５を本体２に容易に取り付けることができる。
【００５０】
（３）上記した実施の形態における携帯機１によれば、突出部４６、４７がロック開口２２０、２２２内のロック位置２２４、２２５に変位するので、第１及び第２の加飾板４、５を本体２に容易に固定することができる。
【００５１】
（４）上記した実施の形態における携帯機１によれば、第１及び第２の爪部４２、４４を有しているので、第１及び第２の加飾板４、５を本体２に容易に取り付けることができる。
【００５２】
（５）上記した実施の形態における携帯機１によれば、金属で形成された第１及び第２の加飾板４、５を本体２に容易に取り付けることができるので、より高級感を高めることができる。
【００５３】
（６）上記した実施の形態における携帯機１によれば、複数の加飾板を容易に本体２に取り付けることができる。
【００５４】
（７）上記した実施の形態における携帯機１によれば、第１及び第２の加飾板４、５は、第１及び第２の爪部４２、４４を有し、さらに、突出部４６、４７がロック開口２２０、２２２内のロック位置２２４、２２５に変位することで、矢印Ｃの前後方向の変位を規制するので、第１及び第２の加飾板４、５を本体２に容易に固定することができる。
【００５５】
（８）上記した実施の形態における携帯機１によれば、様々な種類の加飾板を容易に取り替えることができる。
【００５６】
（他の実施の形態について）
（１）上記した実施の形態において加飾板は、上カバー２０に２つ取り付けられたが、下カバー２１に同じ形状を有する加飾板を取り付けても良い。
【００５７】
（２）上記した実施の形態において加飾板は、上カバー２０に２つ取り付けられたが、複数の加飾板を取り付けても良い。
【００５８】
（３）上記した実施の形態において第１及び第２の加飾板４、５は、金属であったが、樹脂でも良い。
【００５９】
（４）上記した実施の形態において第１及び第２の加飾板４、５は、爪部が２つ形成されていたが、１つ、又は複数であっても良い。
【００６０】
（５）上記した実施の形態において本体２は、２分割されていたが、さらに分割されたもの、又は一体であるものであっても良い。
【００６１】
（６）上記した実施の形態において第１及び第２の爪部４２、４４は、略Ｌ字形状を有しているが、抜止部２０４ａ、２０５ａによって変位が規制される形状であれば良い。
【００６２】
（７）上記した実施の形態において第１及び第２の加飾板４、５は、携帯機１の長手方向に設けられたが、自由に配置可能である。
【００６３】
なお、本発明は、上記した実施の形態に限定されず、本発明の技術思想を逸脱あるいは変更しない範囲内で種々の変形が可能である。
【図面の簡単な説明】
【００６４】
【図１】本発明の実施の形態に係る携帯機の分解斜視図である。
【図２】（ａ）は、本発明の実施の形態に係る上カバーの平面図であり、（ｂ）は、図２（ａ）におけるＡ−Ａ線断面図である。
【図３】（ａ）は、本発明の実施の形態に係る下カバーの平面図であり、（ｂ）は、下カバーの図３（ａ）におけるＢ−Ｂ線断面図である。
【図４】（ａ）は、本発明の実施の形態に係る第１の加飾板の側面図であり、（ｂ）は、第１の加飾板の裏面図である。
【図５】本発明の実施の形態に係る第１の加飾板の取り付けに関する概略図である。
【図６】本発明の実施の形態に係る第１の加飾板の取り付け後の携帯機の概略図である。
【図７】本発明の実施の形態に係る携帯機の図６におけるＤ−Ｄ線断面図である。
【符号の説明】
【００６５】
１…携帯機、２…本体、３…プリント配線基板、４…第１の加飾板、５…第２の加飾板、２０…上カバー、２１…下カバー、４０…本体、４１…凹部、４２…第１の爪部、４３…先端部、４４…第２の爪部、４５…先端部、４６、４７…突出部、２００…凸部、２０１…凹部、２０２…凹部、２０３…凸部、２０４…開口、２０４ａ…抜止部、２０５…開口、２０５ａ…抜止部、２０６…第１のガイド部、２０７…第２のガイド部、２０８…第１のガイド部、２０９…第２のガイド部、２１０、２１１…開口、２２０…ロック開口、２２１…ロック板、２２２…ロック開口、２２３…ロック板、２２４…ロック位置、２２５…ロック位置
【図１】
0004932791.tif 000002
【図２】
0004932791.tif 000003
【図３】
0004932791.tif 000004
【図４】
0004932791.tif 000005
【図５】
0004932791.tif 000006
【図６】
0004932791.tif 000007
【図７】
0004932791.tif 000008